(57)【要約】      （修正有）【課題】ローアングル撮影に応じて、電子ディスプレイをワンタッチで縦横自在に回動可能なディジタルカメラを提供する。【解決手段】撮像レンズを有する本体部２と撮像レンズの撮像画像を表示する液晶表示ディスプレイ３と本体部２及び電子ディスプレイ３を連結するヒンジユニット４とを備え、ヒンジユニット４が、ヒンジユニット４を本体部２に対して第１の方向回りに９０度回動可能に軸着する第１回転軸４１と、液晶表示ディスプレイ３をヒンジユニット４に対して第２の方向回りに９０度回動可能に軸着する第２回転軸４２とを備え、本体部２及びヒンジユニット４の間に設けられ本体部２及びヒンジユニット４を開閉自在に連結する第１のクイックリリース機構と、液晶表示ディスプレイ３及びヒンジユニット４の間に設けられ液晶表示ディスプレイ３及びヒンジユニット４を開閉自在に連結する第２のクイックリリース機構とを備えるディジタルカメラ１。【選択図】図１
2014187675.tif 000002
【特許請求の範囲】
【請求項１】
撮像レンズを有する本体部と、前記撮像レンズによる撮像画像を表示する電子ディスプレイと、前記本体部及び前記電子ディスプレイを連結するヒンジユニットとを備えるディジタルカメラであって、
前記ヒンジユニットが、該ヒンジユニットを前記本体部に対して第１の方向回りに９０度回動可能に軸着する第１回転軸と、前記電子ディスプレイを前記ヒンジユニットに対して前記第１の方向に垂直な第２の方向回りに９０度回動可能に軸着する第２回転軸とを備え、
前記本体部と前記ヒンジユニットとの間に設けられて、前記本体部と前記ヒンジユニットとを開閉自在に連結する第１のクイックリリース機構と、
前記ヒンジユニットと前記電子ディスプレイと間に設けられて、前記ヒンジユニットと前記電子ディスプレイとを開閉自在に連結する第２のクイックリリース機構とを備えていることを特徴とするディジタルカメラ。
【請求項２】
前記電子ディスプレイに遮光フードが設けられていることを特徴とする請求項１に記載のディジタルカメラ。
【請求項３】
前記遮光フードに折り畳みルーペが設けられていることを特徴とする請求項２に記載のディジタルカメラ。
【請求項４】
前記折り畳みルーペを前記電子ディスプレイに対して遠近移動可能なルーペ位置調整機構を備えていることを特徴とする請求項３に記載のディジタルカメラ。
【請求項５】
前記本体部の傾きを検出する検出部と、
前記本体部の傾きから前記本体部の姿勢が縦位置又は横位置の何れであるかを判定する姿勢判定部と、
前記本体部の姿勢が縦位置のときに前記電子ディスプレイに正立像状態で表示される縦位置用メニューと、前記本体部の姿勢が横位置のときに前記電子ディスプレイに正立像状態で表示される横位置用メニューとを記憶する記憶部と、
前記本体部の姿勢に応じて前記縦位置用メニュー又は横位置用メニューを前記電子ディスプレイに表示させる表示制御部と、を備えていることを特徴とする請求項１乃至請求項４の何れか１項に記載のディジタルカメラ。
【発明の詳細な説明】
【技術分野】
【０００１】
本発明は、ディジタルカメラに関するものであって、特に、ディジタルカメラをローアングルで使用する場合に、電子ディスプレイをワンタッチで縦横に回動可能なディジタルカメラを提供する。
【背景技術】
【０００２】
図１８に示すような従来のディジタルカメラ１０では、被写体の大きさ、向き等に応じて、図１８の紙面垂直方向の撮影レンズの光軸を中心にカメラを回転させ、縦画面位置と横画面位置とを撮り分けることが可能である。
【０００３】
しかしながら、極端に低い位置で撮影するために水平方向に近い位置にカメラの撮影レンズを向ける場合、所謂、ローアングル撮影においては、地面に寝そべらなくてはならないか、又は、９０度変換プリズム又は反射鏡をファインダに取り付けなければならないという問題を生ずる。
【０００４】
そこで、極めて低い位置での撮影においては、ディジタルカメラの縦画面位置、横画面位置夫々の撮影に応じて、撮影者が電子ディスプレイを覗き易いように、電子ディスプレイの角度を縦横に変更可能なものが知られている（特許文献１を参照）。
【先行技術文献】
【特許文献】
【０００５】
【特許文献１】特開２０１２−８０４００号公報
【発明の概要】
【発明が解決しようとする課題】
【０００６】
しかしながら、特許文献１に記載のディジタルカメラは、横位置・ローアングル撮影において、液晶表示パネルを本体部に収容した閉位置から、一旦、ヒンジフレームを第１回転軸回りに回動させた上で、液晶表示ディスプレイを第２回転軸回りに回動する必要があり、液晶表示パネルの向きの切り換えが煩雑になる虞がある。
【０００７】
また、縦位置・ローアングル撮影においては、液晶表示パネルを本体部に収容した閉位置から、ヒンジフレームを第１回転軸回りに回動させて、本体部と液晶表示ディスプレイとの間に液晶表示ディスプレイが回動できる距離を確保した上で、液晶表示ディスプレイを第３回転軸回りに回動する必要があり、液晶表示パネルの向きの切り換えが更に煩雑になりがちである。
【０００８】
そこで、ローアングル撮影に応じて、電子ディスプレイをワンタッチで縦横自在に回動するために解決すべき技術的課題が生じてくるのであり、本発明は、この課題を解決することを目的とする。
【課題を解決するための手段】
【０００９】
本発明は上記目的を達成するために提案されたものであり、請求項１記載の発明は、撮像レンズを有する本体部と、前記撮像レンズによる撮像画像を表示する電子ディスプレイと、前記本体部及び前記電子ディスプレイを連結するヒンジユニットとを備えるディジタルカメラであって、前記ヒンジユニットが、該ヒンジユニットを前記本体部に対して第１の方向回りに９０度回動可能に軸着する第１回転軸と、前記電子ディスプレイを前記ヒンジユニットに対して前記第１の方向に垂直な第２の方向回りに９０度回動可能に軸着する第２回転軸とを備え、前記本体部と前記ヒンジユニットとの間に設けられ、前記本体部と前記ヒンジユニットとを開閉自在に連結する第１のクイックリリース機構と、前記ヒンジユニットと前記電子ディスプレイと間に設けられ、前記ヒンジユニットと前記電子ディスプレイとを開閉自在に連結する第２のクイックリリース機構とを備えているディジタルカメラを提供する。
【００１０】
この構成によれば、第１のクイックリリース機構を解除するだけで、ヒンジユニットを本体部から切り離し、ヒンジユニットを第１回転軸回りに９０度回動可能であるため、電子ディスプレイを本体部の背面に収納した状態（閉位置）から、電子ディスプレイが第１回転軸上で本体部に対して垂直に立ち上がった状態（第１の開位置）にワンタッチで簡単に移行することができる。また、第２のクイックリリース機構を解除するだけで、電子ディスプレイをヒンジユニットから切り離し、電子ディスプレイを第２回転軸回りに９０度回動可能なため、閉位置の電子ディスプレイを電子ディスプレイが第２回転軸上で本体部に対して垂直に立ち上がった状態（第２の開位置）にワンタッチで簡単に移行することができる。すなわち、ディジタルカメラの電子ディスプレイを閉位置から第１の開位置又は第２の開位置に直接移行することができる。
【００１１】
請求項２記載の発明は、電子ディスプレイに遮光フードが設けられているディジタルカメラを提供する。
【００１２】
この構成によれば、ディジタルカメラを屋外で使用する場合でも、電子ディスプレイに取り付けられた遮光フードが電子ディスプレイの表面に入射する光を遮ることができる。
【００１３】
請求項３記載の発明は、遮光フードに折り畳みルーペが取り付けられているディジタルカメラを提供する。
【００１４】
この構成によれば、電子ディスプレイに表示される撮像画像を拡大して視ることができる。
【００１５】
請求項４記載の発明は、折り畳みルーペを電子ディスプレイに対して遠近移動可能なルーペ位置調整機構を備えているディジタルカメラを提供する。
【００１６】
この構成によれば、電子ディスプレイと折り畳みルーペとの遠近距離を調整可能なため、撮影者の視度に応じて折り畳みルーペを位置決めすると共に、折り畳みルーペの焦点距離を最適な位置に調整することができる。
【００１７】
請求項５記載の発明は、本体部の傾きを検出する検出部と、本体部の傾きから本体部の姿勢が縦位置又は横位置の何れであるかを判定する姿勢判定部と、本体部の姿勢が縦位置のときに電子ディスプレイに正立像状態で表示される縦位置用メニュー及び本体部の姿勢が横位置のときに電子ディスプレイに正立像状態で表示される横位置用メニューとを記憶する記憶部と、本体部の姿勢に応じて縦位置用メニュー又は横位置用メニューを電子ディスプレイに表示させる表示制御部と、を備えているディジタルカメラを提供する。
【００１８】
この構成によれば、電子ディスプレイに表示される撮像画像やメニュー画面が、本体部の傾きに応じて正立像状態で表示されるように９０度回転するため、撮影者は電子ディスプレイを視認し易い状態で簡単に撮影することができる。
【発明の効果】
【００１９】
請求項１記載の発明は、どのような光景の被写体であっても、撮影者の好みの構図で且つ、自由な姿勢でディジタルカメラの電子ディスプレイを見て自在に撮影できる。
【００２０】
請求項２の構成によれば、屋外の明るい場所でディジタルカメラを使用する場合であっても、遮光フードが外部の余分な光を遮光するので、電子ディスプレイに表示される撮像画像を確認し易くなる。
【００２１】
請求項３の構成によれば、電子ディスプレイに表示される撮像画像を拡大視することが可能なため、合焦位置を確認し易くなる。
【００２２】
請求項４の構成によれば、撮影者の視度に応じて折り畳みルーペを位置決めすると共に、折り畳みルーペの焦点距離を最適な位置に調整することができる。
【００２３】
請求項５の構成によれば、撮影者は電子ディスプレイを視認し易い状態で簡単に撮影することができる。
【図面の簡単な説明】
【００２４】
【図１】本発明の第１実施例に係るディジタルカメラを示す一部切欠平面図。
【図２】ヒンジユニットと電子ディスプレイとを示す説明図。
【図３】ヒンジユニットの軸受部を示す斜視図及び背面図。
【図４】図１に示すディジタルカメラの電子ディスプレイをＹ軸回りに回動させる様子を示す図。
【図５】図１に示すディジタルカメラの電子ディスプレイをＸ軸回りに９０度回動させた状態を示す図。
【図６】本実施例に係るディジタルカメラの検出部、姿勢判定部、記憶部及び表示制御部の構成を示す図。
【図７】縦位置用メニューを表示する電子ディスプレイを示す平面図。
【図８】横位置用メニューを表示する電子ディスプレイを示す平面図。
【図９】本発明の第２実施例に係るディジタルカメラを示す斜視図。
【図１０】図９に示すディジタルカメラの電子ディスプレイをＹ軸回りに９０度回動させた状態を示す図。
【図１１】図９に示すディジタルカメラの電子ディスプレイをＸ軸回りに９０度回動させた状態を示す図。
【図１２】遮光フードを折り畳んでいる状態を示す図。
【図１３】遮光フードを折り畳んだ状態を示す図。
【図１４】遮光フードを電子ディスプレイに取り付ける様子を示す説明図
【図１５】遮光フードのＬ字状ストッパーを示す図。
【図１６】本発明の第３実施例に係るディジタルカメラを示す斜視図。
【図１７】図１６に示すディジタルカメラの折り畳みルーペを上昇させた状態を示す斜視図。
【図１８】従来のディジタルカメラを示す図。
【発明を実施するための形態】
【００２５】
本発明は、ローアングル撮影に応じて、電子ディスプレイをワンタッチで縦横自在に回動するという目的を達成するために、撮像レンズを有する本体部と、前記撮像レンズによる撮像画像を表示する電子ディスプレイと、前記本体部及び前記電子ディスプレイを連結するヒンジユニットとを備えるディジタルカメラであって、前記ヒンジユニットが、該ヒンジユニットを前記本体部に対して第１の方向回りに９０度回動可能に軸着する第１回転軸と、前記電子ディスプレイを前記ヒンジユニットに対して前記第１の方向に垂直な第２の方向回りに９０度回動可能に軸着する第２回転軸とを備え、前記本体部と前記ヒンジユニットとの間に設けられ、前記本体部と前記ヒンジユニットとを開閉自在に連結する第１のクイックリリース機構と、前記ヒンジユニットと前記電子ディスプレイと間に設けられ、前記ヒンジユニットと前記電子ディスプレイとを開閉自在に連結する第２のクイックリリース機構とを備えていることにより実現した。
【実施例】
【００２６】
以下、本発明の第１実施例に係るディジタルカメラについて、図面に基づいて説明する。
【００２７】
本実施例に係るディジタルカメラ１は、図１に示すように、撮像レンズを有する本体部２と、撮像レンズによる撮像画像を表示する電子ディスプレイとしての液晶表示ディスプレイ３と、本体部２及び液晶表示ディスプレイ３を連結するヒンジユニット４とを備えている。
なお、電子ディスプレイは、有機ＥＬディスプレイであっても構わない。
【００２８】
前述したヒンジユニット４は、図１に示すように、ヒンジユニット４を本体部２に対してカメラ縦方向（Ｙ軸）回りに９０度回動可能に軸着する第１回転軸４１と、液晶表示ディスプレイ３をヒンジユニット４に対してカメラ横方向（Ｘ軸）回りに９０度回動可能に軸着する第２回転軸４２とを備えている。
【００２９】
ヒンジユニット４の第１回転軸４１は、一方端をヒンジユニット４の基台４３上に載置された軸受４４の孔４４ａを貫通して本体部２の盲穴に軸支され、他方端を基台４３から立設するガイド４５を貫通して本体部２の盲穴に軸支されている。
【００３０】
ヒンジユニット４の第２回転軸４２は、図１及び図２に示すように、一方端をヒンジユニット４の基台４３に取り付けられた軸受４４の孔４４ｂに軸支され、他方端を基台４３から立設するサイドフレーム４６に軸支されている。
【００３１】
軸受４４は、図３（ａ）に示すように、基台４３上にネジ止めして載置される底部４４ｃと、第１回転軸４１の一方端を通す孔４４ａを有し、底部４４ｃから立設してＸ方向に平行に延びる支持部４４ｄと、第２回転軸４２の一方端を軸支する孔４４ｂを有し、底部４３から立設してＹ軸方向に平行に延びる支持部４４ｅとを備えている。
【００３２】
軸受４４の底部４４ｃの裏面には、図３（ｂ）に示すように、基台４３の表面に形成された凹部（図示せず）に嵌る位置決め用突起４４ｆが設けられている。これにより、基台４３に対する軸受４４の位置決めを簡単に行うことができる。
なお、本実施例では、軸受４４の底部４４ｃにネジ孔を開け、位置決め用突起４４ｆが基台４３の凹部に係合することにより、不要な回転を防ぎつつヒンジユニット４の裏面からビスでネジ止めして、軸受４４を基台４３に固定しているが、接着剤で固結しても構わない。
【００３３】
また、図１及び図２に示すように、本体部２とヒンジユニット４とを着脱自在に連結する第１のクイックリリース機構Ｍ１は、本体部２の係合突起２１ａがヒンジユニット４の係合孔４６ａに係脱して成る。この係合突起２１ａは、本体部２のトリガー２１のヒンジユニット４に対向する面に突設されている。
【００３４】
さらに、液晶表示ディスプレイ３とヒンジユニット４とを着脱着自在に連結する第２のクイックリリース機構Ｍ２は、図２に示すように、ヒンジユニット４の基台から立設するツマミ４７が、液晶表示ディスプレイ３のフレーム３１に形成された係合溝３１ａに係脱して成る。
【００３５】
なお、本体部２と液晶表示ディスプレイ３とを接続する配線（図示せず）は、第１回転軸４１内及び第２回転軸４２内に配置されている。第１回転軸４１と第２回転軸４２は管状のピンを使用し、その中に配線しても構わない。また、エルボ型に成形された絶縁保護管等や樹脂管等を用いてカバーすることにより、配線を保護することができる。なお、配線の通し方は、液晶表示ディスプレイ３や各回転軸のレイアウトに応じて選択可能である。
【００３６】
次に、液晶表示ディスプレイ３をカメラ縦方向（Ｙ軸）回り、即ち、第１回転軸４１回りに回動させる際の手順について説明する。
まず、本体部２のトリガー２１をスプリング２２に抗して図４の紙面右方向にスライドさせることにより、係合突起２１ａが係合孔４６ａから外れる。
一方、ヒンジユニット４のツマミ４７は係合溝３１ａに係合していることにより、液晶表示ディスプレイ３とヒンジユニット４とは、一体に固定されている。
これにより、液晶表示ディスプレイ３とヒンジユニット４とは、第１回転軸４１回りに図４の紙面反時計回りに９０度回動することができる。
【００３７】
このように、第１のクイックリリース機構Ｍ１を解除するだけで、液晶表示ディスプレイ３を第１の開位置、即ち、液晶表示ディスプレイ３が第１回転軸４１上で本体部２に対して垂直に立てられた状態に簡単に移行することができる。
【００３８】
第１の開位置の液晶表示ディスプレイ３を本体部２に収容する際には、ヒンジユニット４を第１回転軸４１回りに図４の紙面時計回りに回動する。
トリガー２１の上面のうちヒンジユニット４に対向する端部には、面取りした斜面案内部２１ｂが形成されている。ヒンジユニット４が、斜面案内部２１ｂに接触することで、トリガー２１がスプリング２２を抗しながら図４の紙面右側にスライドし、ヒンジユニット４が本体部２に収まると、スプリング２２の弾性力でトリガー２１が図４の紙面左側に戻る。これにより、トリガー２１の係合突起２１ａが係合孔４６ａに係合し、液晶表示ディスプレイ３を本体部２に対して固定することができる。
【００３９】
次に、液晶表示ディスプレイ３をカメラ横方向（Ｘ軸）回り、即ち、第２回転軸４２回りに回動させる際の手順について説明する。
まず、ヒンジユニット４のツマミ４７を係合溝３１ａから外し、液晶表示ディスプレイ３とヒンジユニット４とを切り離す。
一方、本体部２の係合突起２１ａがヒンジユニット４の係合孔４６ａに係合していることにより、本体部２とヒンジユニット４とは、一体に固定されている。
これにより、液晶表示ディスプレイ３は、第２回転軸４２回りに図５の紙面垂直方向上向きに回動することができる。
【００４０】
このように、第２のクイックリリース機構Ｍ２を解除するだけで、液晶表示ディスプレイ３を第２の開位置、即ち、液晶表示ディスプレイ３が第２回転軸４２上で本体部２に対して垂直に立てられた状態に簡単に移行することができる。
【００４１】
また、第２の開位置の液晶表示ディスプレイ３をヒンジユニット４に収容する際には、液晶表示ディスプレイ３を第２回転軸４２回りに図５の紙面垂直方向下向きに回動させ、ヒンジユニット４のツマミ４７を係合溝３１ａに係合させるだけで、液晶表示ディスプレイ３をヒンジユニット２に対して固定することができる。
【００４２】
このように、本実施例に係るディジタルカメラ１は、液晶表示ディスプレイ３を閉位置から第１の開位置又は第２の開位置の一方に移行する際に、他方の開位置を介することなく直接且つ簡単に移行することができる。
【００４３】
また、第１回転軸４１及び第２回転軸４２の周囲にねじりコイルバネを配置することで、トリガー２１及びツマミ４７を操作して、液晶表示ディスプレイ３を第１の開位置及び第２の開位置に開く場合に、液晶表示ディスプレイ３が自動的に開くようにしても構わない。
【００４４】
更に、第１回転軸４１又は第２回転軸４２に対する軸受４４との摩擦抵抗が弱い場合には、軸受４４の周囲に２枚のディスク等を設けて、これらディスク間にバネで圧力を加えることにより、第１回転軸４１又は第２回転軸４２に対し抵抗を付することで、第１の開位置又は第２の開位置から閉位置へ不用意に移行することを抑制することができる。なお、液晶表示ディスプレイ３を一定の角度毎にクリックストップ等で固定しても構わない。
【００４５】
次に、液晶表示ディスプレイ３に表示されるメニュー画面の縦横切換機能について説明する。ここで、メニュー画面とは、撮影時に各種設定を変更するために好適なアイコンや文字情報等を含むものをいう。
【００４６】
本実施例に係るディジタルカメラ１は、図６に示すように、本体部２の傾きを検出する検出部２３と、本体部２の傾きから本体部２の姿勢が縦位置又は横位置の何れであるかを判定する姿勢判定部２４と、上下方向が互いに９０度直交する縦位置用メニューｍ１及び横位置用メニューｍ２を記憶する記憶部２５と、本体部２の姿勢に応じて縦位置用メニューｍ１又は横位置用メニューｍ２を液晶電子ディスプレイ３に表示させる表示制御部２６とを備えている。
【００４７】
検出部２３は、本体部が水平方向に対する傾きを検出可能なものであれば良く、例えば、最も簡単な構造として重力センサ等の傾斜センサを用いることができる。
【００４８】
姿勢判定部２４は、本体部３の姿勢が縦位置か横位置かを判定する際の基準となる判定値を有している。姿勢判定部２４は、判定値と検出部２３が検出した本体部２の傾きとの大小を比較して、本体部３の姿勢が縦位置か横位置かを判定する。この判定値としては、例えば、液晶表示ディスプレイ３の縦横比が９：１６である場合には、２９．５°に設定することが考えられる。これにより、ｔａｎ-1（９／１６）＝２９．５°であることから、縦横比が９：１６の液晶表示ディスプレイ３が２９．５°だけ傾いたとき、すなわち、液晶表示ディスプレイ３の対角線が水平方向と平行になる角度を基準に本体部３の姿勢を判定する。また、判定値は、各種モードに応じて切り換えても良い。撮影者は本体部２をなるべく水平に保つように構えることから、判定値を４５°に設定しても構わない。また、互いにヒステリシスを持たせても構わない。
【００４９】
記憶部２５は、縦位置用メニューｍ１及び横位置用メニューｍ２を記憶可能なものであれば良く、例えば、ＲＯＭ等のメモリを用いることができる。
【００５０】
縦位置用メニューｍ１は、図７に示すように、本体部２の姿勢が縦位置のときに、液晶表示ディスプレイ３に表示される表示情報を正立像状態で表示するものである。縦位置用メニューｍ１は、縦位置用メニューｍ１の上下方向をカメラ横方向Ｘに一致させて、第１回転軸４１に近い方を上方とするものである。
【００５１】
横位置用メニューｍ２は、図８に示すように、本体部２の姿勢が横位置のときに、液晶電子ディスプレイ３に表示される表示情報を正立像状態で表示するものである。横位置用メニューｍ２は、横位置用メニューｍ２の上下方向をカメラ縦方向Ｙに一致させて、第２回転軸４２に近い方を上方とするものである。
【００５２】
表示制御部２６は、姿勢判定部２４の判定結果に応じて、記憶部２４に記憶された縦位置用メニューｍ１又は横位置用メニューｍ２を液晶電子ディスプレイ３に表示する。
【００５３】
これにより、図７に示すように、撮影者がディジタルカメラ１を縦位置に構えた場合には、液晶電子ディスプレイ３に縦位置用メニューｍ１が表示され、図８に示すように、撮影者がディジタルカメラ１を横位置に構えた場合には、液晶電子ディスプレイ３に横位置用メニューｍ２が表示される。したがって、撮影者は液晶電子ディスプレイ３を視認し易い状態で簡単に撮影することができる。
【００５４】
次に、本発明の第２実施例に係るディジタルカメラ５について、図面に基づいて説明する。ここで、第１実施例のディジタルカメラと同一の部材については、重複する説明を省略する。
【００５５】
図９乃至図１０に示すように、遮光フード６は、液晶表示ディスプレイ３を覆うように取り付けられている。
これにより、屋外で撮影する際に、遮光フード６が液晶表示ディスプレイ３上での外光の侵入を防止し、撮影者が液晶表示ディスプレイ３を視認し易くなる。
【００５６】
また、上述した遮光フード６は、図１２及び図１３に示すように、折畳み可能である。
これにより、折畳んだ時には遮光フード６自体の体積が非常に小さくなるとともに、液晶表示ディスプレイ３の表面を保護することができる。
【００５７】
遮光フード６の折畳み方は、図１２に示すように、左側壁面部６１及び右側壁面部６２が夫々の中央で内側に折畳み可能なヒンジ構造になっており、左側壁面部６１及び右側壁面部６２を夫々略半分に折り畳み、後側壁面部６３を前側壁面部６４に向けてスライドさせながら、上側壁面部６４を内側に倒すことにより、遮光フード６をコンパクトに折り畳むことでできる。また、遮光フード６を立ち上げる際には、上側壁面６４を上側に持ち上げるだけで、ヒンジに設置されたねじりコイルばねの付勢力によって左側壁面部６１及び右側壁面部６２が広がり、遮光フード６を簡便に展開することができる。
【００５８】
遮光フード６には、図９乃至図１０に示すように、ピント調整用ルーペ６５を取り付けても構わない。
これにより、液晶表示ディスプレイ３に表示される撮像画像の合焦状態を正確に視認することができる。
【００５９】
次に、遮光フード６の取付手順について説明する。
図１４に示すように、遮光フード６の裏側には、遮光フードの左右両側から内側に向かって突設する係合片６６、６６が左右夫々に設けられている。この係合片６６、６６が、液晶表示ディスプレイ３のフレーム３１の左右両側に凹設された長溝３２、３２に嵌合するようになっている。
【００６０】
図１４及び図１５に示すように、遮光フード６の側面に設けられたＬ字状ストッパー６７は、遮光フード６の側面にビス止めされた基端部６７ａを中心に撓むことができ、Ｌ字状トリガー６７の先端部６７ｂは、遮光フード６の側面を貫通して液晶表示ディスプレイ３のフレーム３１に形成された溝３３に係止している。
これにより、遮光フード６が、液晶表示ディスプレイ３に対して一体に固定される。
【００６１】
次に、本発明の第３実施例に係るディジタルカメラ７について、図１６及び図１７に基づいて説明する。ここで、第２実施例のディジタルカメラと同一の部材については、重複する説明を省略する。
【００６２】
図１６に示すように、本実施例に係るディジタルカメラ７は、ピント調整用ルーペ６５を支持するコラム８１に設けられたルーペ位置決め用ウォームネジ８２と、ルーペ位置決め用ウォームネジ８２に噛み合うウォームホイール８３とから構成されるルーペ位置調整機構Ｍ３を備えている。
【００６３】
ピント調整用ルーペ６５は、コラム８１の上端部８１ａに対して回転可能に取り付けられている。これにより、遮光フード６を折り畳むときは、ピント調整用ルーペ６５は、遮光フード６の前側壁面部６４の内側に収容されている。また、ピント調整用ルーペ６５を使用するときは、ピント調整用ルーペ６５をコラム８１に対して回転して展開することができる。
【００６４】
コラム８１は、遮光フード６の前側壁面部６４と略同じ高さ（例えば、５０ｍｍ）に形成されており、遮光フード６を折り畳む際には、前側壁面部６４の内側に収容されている。
【００６５】
ルーペ位置決め用ウォームネジ８２は、コラム８１の側端部８１ｂに亘って延設されている。ルーペ位置決め用ウォームネジ８２は、ウォームホイール８３の回転に伴って伸縮するようになっており、ルーペ位置決め用ウォームネジ８２の送り量（例えば、２５ｍｍ）だけ、コラム８１が移動するようになっている。
【００６６】
ウォームホイール８３は、遮光フード６の前側壁面部６４に回転自在に取り付けられている。ウォームホイール８３は、前側壁面部６４から外方に突出する突出部分８３ａを有している。撮影者は、この突出部分８３ａを介してウォームホイール８３を回転させることができる。
【００６７】
また、ウォームホイール８３は、ルーペ位置決め用ウォームネジ８２が所定の位置より上方に上昇することを防止するストッパーを備えている。ストッパーとしては、例えば、ウォームホイール８３の歯溝にカットワイヤーを接着剤で固定したもの等がある。これにより、ルーペ位置決め用ウォームネジ８２とウォームホイール８３とは、ストッパーが干渉する位置までスムーズに噛み合うため、ピント調整用ルーペ６５は、液晶電子ディスプレイ３から所定の距離（例えば、７５ｍｍ）だけ離間した位置に位置決めされる。なお、図１７中の符号８４は、ストッパーを配置した位置、即ち、ウォームホイール８３の回転限界位置を示すマーカである。
【００６８】
図１６に示すように、ルーペ位置決め用ウォームネジ８２の上端には、調整ノブ８５が設けられている。この調整ノブ８５を回転させることにより、ルーペ位置決め用ウォームネジ８２とウォームホイール８３との間にストッパーが干渉している状態から、ルーペ位置決め用ウォームネジ８２を上下方向に滑らかに昇降可能になっている。
【００６９】
次に、本実施例に係るディジタルカメラ７において、ピント調整用ルーペ６５を液晶表示ディスプレイ３に対して遠近移動させる手順について説明する。
【００７０】
まず、図１６に示すように、遮光フード６を展開させる。その後、図１７に示すように、ウォームホイール８３を時計回りに回転させると、ウォームホイール８３と噛み合うルーペ位置決め用ウォームネジ８２も連動して上昇する。ルーペ位置決め用ウォームネジ８２が上昇することにより、コラム８１も上昇する。
【００７１】
ストッパーがルーペ位置決め用ウォームネジ８２とウォームホイール８３との噛み合い領域に介在するまでウォームホイール８３を回転させると、ストッパーが、ルーペ位置決め用ウォームネジ８２とウォームホイール８３との更なる噛み合いを妨害するため、液晶表示ディスプレイ３とピント調整用ルーペ６５とを好適な遠近距離（例えば、７５ｍｍ）で位置決めすることができる。また、撮影者毎に異なる眼の焦点距離に応じてピント調整用ルーペ６５の位置を微調整する場合には、調整ノブ８５を回転させて、ルーペ位置決め用ウォームネジ８２を僅かに昇降させることができる。なお、ウォームホイール８３を、ルーペ位置決め用ウォームネジ８２に噛み合うヘリカルギアに置き換えても同等の作用効果を得ることができる。
【００７２】
これにより、液晶電子ディスプレイ３とピント調整用ルーペ６５との遠近距離を調整可能なため、撮影者の視度に応じてピント調整用ルーペ６５を位置決めすると共に、ピント調整用ルーペ６５の焦点距離を調整することができる。
【００７３】
さらに、液晶電子ディスプレイ３とピント調整用ルーペ６５との好適な遠近距離が遮光フード６の前側壁面部６４の高さよりも長い場合であっても、コラム８１の高さと噛み合うルーペ位置決め用ウォームネジ８２の送り量とを調整することで、液晶電子ディスプレイ３とピント調整用ルーペ６５との遠近距離を遮光フード６の前側壁面部６４の高さよりも長い範囲で設定することもできる。
【００７４】
上述した本発明の各実施例においては、ヒンジユニットをカメラ縦方向（Ｙ軸）回りに左右に回動させ、液晶表示ディスプレイをカメラ横方向（Ｘ軸）回りに上下に回動させているが、ヒンジユニットをカメラ横方向（Ｘ軸）回りに上下に回動させ、液晶表示ディスプレイをカメラ縦方向（Ｙ軸）回りに左右に回動させる構造にしても構わない。
【００７５】
なお、本発明の電子ディスプレイにおいては、回動角度を９０度に設定しているが、厳密に９０度である必要はなく、例えば、８０度や１００度であっても構わない。
【００７６】
なお、本発明は、本発明の精神を逸脱しない限り種々の改変をなることができ、そして、本発明が該改変されたものにも及ぶことは当然である。
【符号の説明】
【００７７】
１  ・・・  ディジタルカメラ
２  ・・・  本体部
３  ・・・  液晶表示ディスプレイ
４  ・・・  ヒンジユニット
４１・・・  第１回転軸
４２・・・  第２回転軸
４３・・・  基台
４４・・・  軸受
５  ・・・  ディジタルカメラ
６  ・・・  遮光フード
７  ・・・  ディジタルカメラ
Ｍ１・・・  第１のクイックリリース機構
Ｍ２・・・  第２のクイックリリース機構
Ｍ３・・・  ルーペ位置調整機構
【図１】
2014187675.tif 000003
【図２】
2014187675.tif 000004
【図３】
2014187675.tif 000005
【図４】
2014187675.tif 000006
【図５】
2014187675.tif 000007
【図６】
2014187675.tif 000008
【図７】
2014187675.tif 000009
【図８】
2014187675.tif 000010
【図９】
2014187675.tif 000011
【図１０】
2014187675.tif 000012
【図１１】
2014187675.tif 000013
【図１２】
2014187675.tif 000014
【図１３】
2014187675.tif 000015
【図１４】
2014187675.tif 000016
【図１５】
2014187675.tif 000017
【図１６】
2014187675.tif 000018
【図１７】
2014187675.tif 000019
【図１８】
2014187675.tif 000020